(57)【要約】【課題】録画した番組の一覧を表示した際に、どの番組についてインデックス情報（シーン情報）を用いて視聴することができるか識別することができなかった。【解決手段】受信した番組を記録手段が記録媒体に記録する。検出手段は、記録媒体に記録された番組を再生する際にインデックスとして用いられるインデックス情報をサーバからダウンロード可能か否かを検出する。一覧画面作成手段は、前記記録媒体に記録された番組について、前記インデックス情報をサーバからダウンロード可能か否かに応じて、番組毎に符号Ｍを表示／非表示させ、識別可能な一覧画面を作成して出力する。【選択図】  図５
2014233048.tif 000002
【特許請求の範囲】
【請求項１】
受信した番組を記録媒体に記録する記録手段と、
前記記録媒体に記録された番組を再生する際にインデックスとして用いられるインデックス情報をサーバからダウンロード可能か否かを検出する検出手段と、
前記記録媒体に記録された番組について、番組毎に前記インデックス情報をサーバからダウンロード可能か否かを、番組毎に識別可能な一覧画面を作成して出力する一覧画面作成手段とを備えた記録再生装置。
【請求項２】
前記サーバから前記インデックス情報をダウンロードするダウンロード手段と、
このダウンロードした前記インデックス情報に基づく位置から、前記記録媒体に記録された番組を再生する再生手段とを備えた請求項１記載の記録再生装置。
【請求項３】
前記一覧画面作成手段は、再生する番組を選択するための一覧画面である請求項１または２記載の記録再生装置。
【請求項４】
前記一覧画面作成手段は、前記インデックス情報があることを示す識別子を表示することにより前記識別可能な一覧画面を作成する請求項１乃至３のいずれか１項記載の記録再生装置。
【請求項５】
前記一覧画面作成手段は、前記インデックス情報を提供したユーザに応じて異なる識別子とする請求項４記載の記録再生装置。
【請求項６】
記録手段により、受信した番組を記録媒体に記録し、
検出手段により、前記記録媒体に記録された番組を再生する際にインデックスとして用いられるインデックス情報をサーバからダウンロード可能か否かを検出し、
一覧画面作成手段により、前記記録媒体に記録された番組について、番組毎に前記インデックス情報をサーバからダウンロード可能か否かを、番組毎に識別可能な一覧画面を作成して出力する記録再生方法。
【発明の詳細な説明】
【技術分野】
【０００１】
この発明は、放送を受信して記録媒体に記録再生可能な記録再生装置および記録再生方法に関する。
【背景技術】
【０００２】
記録した番組（コンテンツ）を再生する際、この録画したコンテンツ内の各シーンを区切るインデックス情報（以下、シーン情報と記す）をサーバから取得（サーバ内に複数存在していた場合には選択して取得）し、この取得したシーン情報を用いて例えばローカルの記録媒体に自身で記録した放送番組を任意の選択したシーンを再生する技術が知られている（例えば、特許文献１〜３を参照）。
【０００３】
また、出願人が出願中のものもある（例えば、特願２０１２−１９８９６０号、特願２０１２−１９０１０２号、特願２０１２−１９０１０４号）。
これらの技術では、自身で記録した番組を再生するとき、再生する番組を選択するためのＧＵＩ画面である録画番組一覧や過去番組表を表示して番組を指定した後、この再生しようとする番組のインデックス情報の有無を都度サーバーへ問い合わせを行なう。このとき再生しようとする番組の選択には、例えば録画したコンテンツの一覧（例えば、リストや番組表形式）から番組を指定し、この指定された番組のシーン情報の有無をサーバーへ問い合わせる。
【０００４】
番組のインデックス情報がサーバ上に準備されクライアントである受信装置でダウンロード可能となるまでの間、例えば数時間を要す。このためこの間にユーザがシーン情報を使用しようとしても、まだサーバにシーン情報がなく、シーン情報を用いた番組再生をすることができない。
【先行技術文献】
【特許文献】
【０００５】
【特許文献１】特許第５２３８８６３号公報
【特許文献２】特許第４８６５０６８号公報
【特許文献３】特開２０１２−００４９０１号公報
【発明の概要】
【発明が解決しようとする課題】
【０００６】
このように従来、注目しているシーンだけ視聴したいユーザにとって、再生する番組を選択するためのＧＵＩ画面である録画番組一覧や過去番組表上では、再生しようとする番組がシーン情報を使った視聴ができるかどうか（シーン情報のサーバへの存在の有無）を知ることができないという問題があった。
【０００７】
この発明は、再生する番組を選択するためのＧＵＩ画面である録画番組一覧や過去番組表上で、シーン情報を利用した再生ができるか否かを識別することができるようにすることを目的とする。
【課題を解決するための手段】
【０００８】
上記の目的を達成するために、この発明においては、受信した番組を記録媒体に記録する記録手段と、前記記録媒体に記録された番組を再生する際にインデックスとして用いられるインデックス情報をサーバからダウンロード可能か否かを検出する検出手段と、前記記録媒体に記録された番組について、番組毎に前記インデックス情報をサーバからダウンロード可能か否かを、番組毎に識別可能な一覧画面を作成して出力する一覧画面作成手段とを備えた記録再生装置を提供する。
【０００９】
なお、装置に係る本発明は方法に係る発明としても成立し、方法に係る本発明は装置に係る発明としても成立する。
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【図面の簡単な説明】
【００１０】
【図１】実施形態に係る記録再生装置を含むシステム構成の概要の一例を示す図。
【図２】実施形態に係る記録再生装置の構成の一例を示すブロック図。
【図３】実施形態におけるシーン情報の一例を示す図。
【図４】実施形態における再生する番組を選択するための一覧表示動作の一例を示すフローチャート。
【図５】実施形態における録画番組一覧に識別子を表示させた一例を示す図。
【図６】実施形態における録画番組一覧に複数の種類の識別子を表示させた一例を示す図。
【図７】実施形態におけるシーン情報を選択して再生する際のＧＵＩ画面の一例を示す図。
【図８】実施形態におけるシーン情報を定期的に取得する動作の一例を示すフローチャート。
【発明を実施するための形態】
【００１１】
以下、図面を参照しながら本発明の実施形態について説明する。
（第１の実施形態）
図１は第１の実施形態のシステム構成の概要の一例である。以下の各実施形態に係るシステムは、サーバ１８２とクライアント端末（ＤＴＶ、レコーダ等）である例えば記録再生装置１００により構成される。ここではクライアント端末として記録再生装置１００を示しているが、サーバ１８２との通信手段、放送番組の録画手段、録画番組を一覧表示する手段を備えたデバイスであればどのようなデバイスであってもよい。
【００１２】
記録した番組（コンテンツ）を再生する際、この再生時に用いるインデックス情報（以下、シーン情報と記す）の流れについて説明する。
図１において、ユーザＡ宅のユーザＡが自身で記録した番組（例えば、放送：2013/05/16 20:00-22:00、番組名：情報番組Ａ、チャンネル：ch100）に関する図３（ｂ）に示すシーン情報をクライアント端末である記録再生装置１００で作成し、サーバ１８２内のシーン情報のＤＢ（データベース）であるシーン情報ＤＢ（データベース）１８２へ登録する。また、ユーザＢ宅のユーザＢが自身で記録した上記と同じ番組に関する図３（ｃ）に示すシーン情報をクライアント端末である記録再生装置１００で作成し、サーバ１８２内のシーン情報のＤＢ（データベース）であるシーン情報ＤＢ（データベース）１８２へ登録する。この他、サーバを管理している事業者によってもシーン情報が作成されてシーン情報ＤＢ（データベース）１８２へ登録される。このようにしてシーン情報ＤＢ（データベース）１８２へ登録されたシーン情報は共有され、複数の記録再生装置１００でダウンロードして再生時に利用することができる。
【００１３】
ユーザが共有されているシーン情報を利用する際には、クライアント端末である記録再生装置１００からサーバ１８２に対して、例えば再生しようとする番組である、放送：2013/05/16 20:00-22:00、番組名：情報番組Ａ、チャンネル：ch100のシーン情報の要求がされ、もしこの番組のシーン情報が有れば記録再生装置１００から得て再生時に用いられ、無ければ無いとの回答をサーバーから得る。
【００１４】
図２は、第１の実施形態に係る記録再生装置１００の構成の一例を示すブロック図である。図２に示すように記録再生装置１００は、チューナ装置１０１、記録再生制御部１０２、記録媒体１０３、記録番組一覧表生成部１０４、デコード処理部１０５、オンスクリーン表示制御部１０６、ネットワークＩ／Ｆ１１１、シーン情報取得部１１２、シーン情報識別子表示制御部１１３、ＥＰＧ（Electronic Program Guide）メモリ１２１、リモートコントローラ１３１、受信回路１３２、ＭＰＵ（Micro-Processing Unit）１３３から構成されている。オンスクリーン表示制御部１０６が生成した映像はディスプレイを備えた表示装置１５１に出力されて表示される。
【００１５】
また、記録再生装置１００は、ネットワークＩ／Ｆ１１１を介して例えばインターネット等の通信ネットワーク１８１と接続することで、通信ネットワーク１８１上にあるサーバ１８２が共有しているシーン情報をダウンロードし、再生時に利用することが可能である。ここではＭＰＵ１３３は記録再生装置１００内の各ブロックを制御することで、記録再生装置１００全体としての動作を制御している。
【００１６】
チューナ装置１０１は、複数のチューナ１０１ａ〜１０１ｎを備えており、同時に複数の物理チャンネルから得られたＣｈ１〜ＣｈＮのトランスポートストリーム（ＴＳ）は、記録番組一覧表生成部１０４および記録再生制御部１０２に送られる。なお、チューナ部１０１が備えるチューナの数は幾つでもよく、複数でなく１つであってもよい。
【００１７】
（記録時）
記録再生制御部１０２は、ユーザにより記録することが指定された番組が多重されているトランスポートストリームから実際の番組の映像・音声のデータである番組コンテンツデータを抽出し、これに（１）番組コンテンツデータを記録した記録日時（番組の放送日時）、（２）番組コンテンツデータを記録した番組の番組名、（３）番組コンテンツデータを録画した番組のチャンネルを示すチャンネル情報、（４）番組コンテンツデータの再生履歴等を含む識別情報、の４つの付加データを付加して記録媒体１０３への記録処理を実行する。この記録再生制御部１０２における記録処理は、ＭＰＵ１３３から出力される番組録画のための制御信号に従って行われる。
【００１８】
記録媒体１０３は、例えばＨＤＤ（ハードディスクドライブ）などの大容量記憶媒体でありる。記録媒体１０３は、記録再生制御部１０２から記録するために入力された番組コンテンツデータと上記（１）〜（３）の３つの付加データを記憶（録画）する。例えば記録媒体１０３は、同時に複数の物理チャンネルから得られたＣｈ１〜ＣｈＮのトランスポートストリームを記録する。
【００１９】
（再生時）
記録再生制御部１０２は、ユーザにより再生することが指定された番組に関する実際の番組の映像・音声のデータである番組コンテンツデータと、これに上記（１）〜（３）の付加データに加え、（４）番組コンテンツデータの再生履歴等を含む識別情報、の４つの付加データを付加して記録媒体１０３からの読出処理を実行する。この記録再生制御部１０２における読出処理は、ＭＰＵ１３３から出力される番組録画のための制御信号に従って行われる。
【００２０】
記録番組一覧表示生成部１０４は、記録再生制御部１０２を介して記録媒体１０３に記録されている番組コンテンツデータおよび上記（１）〜（３）の付加データを読み出して、例えば図５（ａ），図６（ａ）に示すような記録番組一覧表を作成したり、或いは図５（ｂ）や図６（ｂ）に示すような番組表形式の記録番組一覧表を作成し、オンスクリーン表示制御部１０６に出力する。図５（ｂ）や図６（ｂ）に示すような過去番組表については、複数チャンネルの番組を同時に連続して録画した場合に好適な表示方法である。
【００２１】
また、記録番組一覧表示生成部１０４は、現在オンエア中および今後オンエアされる番組のＥＰＧを作成するため、チューナ１０１ａ〜１０１ｎから出力されたＣｈ１〜ＣｈＮのトランスポートストリームから、各チャンネルの各時間帯の番組を示す番組配列情報であるＥＰＧ情報を抽出し、ＥＰＧメモリ１２１に記憶させる。
【００２２】
デコード処理部１０５は、記録媒体１０３から記録再生制御部１０２を介して読み出された番組コンテンツデータをデコードし、オンスクリーン表示制御部１０６に出力する。
【００２３】
オンスクリーン表示制御部１０６は、記録番組一覧表生成部１０４から供給された記録番組一覧表と、デコード処理部１０５から供給されたデコードされた番組の内、一方或いは両方を合成して表示装置１５１へ出力し、表示させる。
【００２４】
リモートコントローラ１３１は、ユーザの操作を受け付け、この操作に応じた赤外線や電磁波等の無線による制御信号を受信回路１３２へ出力する。
受信回路１３２は、リモートコントローラ１３１から無線で発信された制御信号を受信する。
ネットワークＩ／Ｆ１１１は、ＬＡＮやインターネット等である通信ネットワーク１８１を介してサーバ１８２と通信可能に接続されている。
シーン情報取得部１１２は、ネットワークＩ／Ｆ１１１を介してサーバ１８２内のシーン情報ＤＢに、記録媒体１０３に記録してある番組に関するシーン情報があれば取得し、記録再生制御部１０２とシーン情報識別子表示制御部１１３へ出力する。
【００２５】
シーン情報識別子表示制御部１１３では、ＭＰＵ１３３から図５（ａ），図６（ａ）に示す記録番組一覧表や、図５（ｂ），図６（ｂ）に示す過去番組表示の表示要求が来た際に、記録番組一覧表生成部１０４から上記（１）〜（３）の３つの付加データ、シーン情報取得部１１２からシーン情報を受け取り、シーン情報のある番組に対して例えば識別子を録画番組一覧や過去番組表に表示し、シーン情報のある番組であるか否かを識別可能に表示する。なお、この実施形態では識別子としてマークを表示させることしたが、これに代え、該当する番組の文字色や文字の背景色を変えることにより、識別できるようにしてもよい。本実施形態では、識別可能に表示すればマーク、文字の色やフォント、文字の色背景色でも、番組名等のフォントを変えても、とにかくユーザが識別な表示であれば何でもよい。
【００２６】
上記のような構成において録画番組一覧や過去番組表中、シーン情報を用いることが可能な番組に対して識別子を表示する動作について、図４のフローチャートを使って詳細に説明する。
【００２７】
ステップＳ４０１：  ユーザがリモートコントローラ１３１を記録番組一覧表示の操作または過去番組表示の操作を行う。ＭＰＵ１３３は、記録番組一覧表示のコマンドまたは過去番組表示のコマンドを受信回路１３２を介して受けとる。ＭＰＵ１３３は、記録番組一覧表示要求または過去番組表示要求を記録番組一覧表示生成部１１２へ通知する。ステップＳ４０２へ進む。
【００２８】
ステップＳ４０２：  記録番組一覧表示生成部１０４は、ＭＰＵ１３３から記録番組一覧表示要求または過去番組表示要求を受けると、記録媒体１０３に記録されている番組の内、ある１つの録画番組に関する上記（１）〜（３）の３つの付加データを記録再生制御部１０２を介して記録媒体１０３から取得し、図５（ａ）に示す記録番組一覧表示または図５（ｂ）に示す過去番組表を準備する（但し、まだ識別子Ｍについては準備されていない）。
【００２９】
また、記録番組一覧表示生成部１０４は、シーン情報識別子表示制御部１１３に対して、上記ある１つの録画番組に関する上記（１）〜（３）の３つの付加データを用いて、この番組に関するシーン情報がサーバ１８２内のシーン情報ＤＢに存在しているか検索させる。ステップＳ４０３へ進む。
【００３０】
ステップＳ４０３：  記録番組一覧表示生成部１０４は、シーン情報識別子表示制御部１１３にステップＳ４０２で検索させた結果、上記ステップＳ４０２で決めた番組について、１つでもシーン情報がサーバにあり（クライアント側で使えるよう、ダウンロード可能に準備され）、クライアント側でダウンロードして再生時に用いることが可能な状態であった場合にはステップＳ４０４へ進み、シーン情報が１つもサーバになかった場合にはステップＳ４０６へ進む。なお、クライアント側でダウンロードして再生時に用いることが可能な状態であるか否かの検出については、ダウンロードできたら有り、ダウンロードできなければ無し、と判断するようにしてもよい。
【００３１】
ステップＳ４０４：  記録番組一覧表示生成部１０４は、シーン情報を記録番組一覧表生成部１０４内の図示しないメモリにダウンロードし、ステップＳ４０５へ進む。なお、対象の番組に関するシーン情報が複数存在していた場合には、全てダウンロードする。このステップＳ４０４でのダウンロード先としては、上記ステップＳ４０２で決めた番組の付加データの１つとして記録媒体１０３にダウンロードするようにしてもよい。
【００３２】
ステップＳ４０５：  記録番組一覧表示生成部１０４は、上記ステップＳ４０２で決めた番組について、シーン情報があることを示す識別子（図５（ａ），（ｂ）の符号Ｍ）を表示した記録番組一覧または過去番組表を準備し（準備はするが、まだ表示はしない）、ステップＳ４０７へ進む。
【００３３】
ステップＳ４０６：  記録番組一覧表示生成部１０４は、上記ステップＳ４０２で決めた番組について、シーン情報がないので、ステップＳ４０２で準備した図５（ａ）に示す記録番組一覧表示または図５（ｂ）に示す過去番組表に、図５（ａ），（ｂ）の符号Ｍを表示しないこととし、ステップＳ４０７へ進む。
【００３４】
ステップＳ４０７：  記録番組一覧表示生成部１０４は、記録媒体１０３に記録されている全ての番組についてシーン情報を検索したか否かを判断し、全ての番組についてシーン情報を検索していた場合にはステップＳ４０９へ進み、全ての番組についてシーン情報を検索していない場合にはステップＳ４０８へ進む。
【００３５】
ステップＳ４０８：  記録番組一覧表示生成部１０４は、検索する番組をまだ検索していない番組に変更してステップＳ４０２へ戻る。
ステップＳ４０９：  記録番組一覧表示生成部１０４は、全ての番組についてのシーン情報の検索が終了したら、図５（ａ）に示す記録番組一覧表示または図５（ｂ）に示す過去番組表をオンスクリーン表示制御部１０６を介して表示装置１５１へ出力する。
【００３６】
この結果、表示装置１５１には図５（ａ）に示す記録番組一覧表示または図５（ｂ）に示す過去番組表が表示される。
この図５（ａ）に示す記録番組一覧表示または図５（ｂ）に示す過去番組表が表示された後、シーン情報を用いて再生する動作について説明する。
図５（ａ）に示す記録番組一覧表示を表示した後、リモートコントローラ１３１の図示しない上／下ボタンを押下してフォーカス４０１を上下させて再生したい番組（ここでは番組名“情報番組Ａ”）に合わせた後、リモートコントローラ１３１の図示しない決定ボタンを押下する。するとＭＰＵ１３３は、この番組に関するシーン情報（図３（ａ），（ｂ），（ｃ））を、ステップＳ４０４でダウンロード先から読出し、図７（ａ）に示すようにどのシーン情報を用いるかを選択するＧＵＩ画面を生成する。
【００３７】
図７（ａ）のＧＵＩ画面に対して、ユーザがリモートコントローラ１３１の上／下ボタンを押下してフォーカス４０１を上下させて使用したいシーン情報（この例では符号７０１、即ち図３（ｂ）のシーン情報）に合わせた後、リモートコントローラ１３１の決定ボタンを押下する。するとＭＰＵ１３３は、この図３（ｂ）のシーン情報に含まれるシーンを選択するための図７（ｂ）に示すＧＵＩ画面を生成する。なお、サーバにシーン情報が１つしかない場合にはこの図７（ａ）のＧＵＩ画面を表示せず、直接図７（ｂ）のＧＵＩ画面を出力するようにしてもよい。こうすることによりユーザが１つのシーン情報から１つのシーン情報を指示する無駄な動作を省略することができる。
【００３８】
図７（ａ）のＧＵＩ画面に対して、ユーザがリモートコントローラ１３１の上／下ボタンを押下してフォーカス４０１を上下させて再生したいシーン（この例では、シーン名“富士山世界遺産登録”）に合わせた後、リモートコントローラ１３１の決定ボタンを押下する。するとＭＰＵ１３３は、この番組を記録媒体１０３から読出し、このシーン名の再生位置である00:04:00-00:51:35を表示装置１５１の画面全体で再生する。
【００３９】
以上説明したとおり、本実施形態によれば、過去番組表や録画番組一覧上で、シーン情報の有無を視覚的に認識できる。
（第２の実施形態）
上記第１の実施形態ではシーン情報の有の識別子は一つの種類だけであったが、識別子は一つだけとは限定せず、２つ以上あってもよい。
例えば、シーン情報をサーバに登録するのは様々なユーザがいることが想定でき、図３で示すようにサーバに、ある特定のユーザ、例えばサーバ運営会社等がユーザ名“T-Official”として作成した公式のシーン情報（図３（ａ））だけが登録されている場合は、識別子Ｍ１の識別子１つ、その他のユーザである例えば一般のユーザ名“ＴＡＲＯ”や“ＪＩＲＯ”が作成したシーン情報（図３（ｂ）や図３（ｃ））だけが登録されている場合には識別子Ｍ２の識別子１つ、ある特定のユーザのシーン情報と他のユーザのシーン情報との両方が登録されている場合には、識別子Ｍ３の識別子１つ、というように複数種類の識別子を表示させてもよい。
【００４０】
このように複数種類の識別子の内、いずれか１つの識別子を表示させるようにしたのは、ユーザが番組を選択する際、録画番組一覧に表示される識別子が多くなることを防ぐためである。識別子の数が増えしまうと、録画番組一覧に表示される番組タイトルの文字数が減ってしまうのを防ぐためである。例えば、識別子Ｍ３を設けず、ある特定のユーザが作成したシーン情報とその他のユーザが作成したシーン情報の両方のシーン情報が存在していた場合には、一覧表の中に識別子Ｍ１および識別子Ｍ２の２つの識別子を表示しなければ、２つの識別子がサーバに存在していることを認識できないからである。
【００４１】
なお、識別子を表示するスペースがあるならば１つの識別子、両方登録されている場合には、識別子Ｍ１と識別子Ｍ２の両方を表示するようにしてもよい。
シーン情報は図３（ａ）に示すようなサーバ運営会社等が作成した公式のものと、一般ユーザがサーバ１８２にアップロードした一般のものとがある。
しかし、図５（ａ），（ｂ）のように１つの種類の識別子では、公式のシーン情報だけがあるのか、公式でない一般ユーザが作成したシーン情報だけがあるのか、或いは両方のシーン情報とがある３パターンが考えられるが、ユーザはいずれなのか識別することができない。
【００４２】
この第２の実施形態では、これを識別できるよう、図６（ａ），（ｂ）のように３つの種類の識別子で判断できるようにしたものである。なお、第１の実施形態をベースにしているため、第１の実施形態から変わる点についてのみ説明する。具体的にはステップＳ４０５だけを変えればよい。
【００４３】
ステップＳ４０５：  記録番組一覧表示生成部１０４は、上記ステップＳ４０２で決めた番組について、
（識別子１）公式のシーン情報だけがあることを示す第１の識別子（図６（ａ），（ｂ）の符号Ｍ１）を、
（識別子２）公式でない一般ユーザが作成したシーン情報だけがあることを示す第２の識別子（図６（ａ），（ｂ）の符号Ｍ２）を、
（識別子３）公式と公式でない一般ユーザが作成した両方のシーン情報があることを示す第３の識別子（図６（ａ），（ｂ）の符号Ｍ３）を表示した記録番組一覧または過去番組表を準備し（準備はするが、まだ表示はしない）、ステップＳ４０７へ進む。
【００４４】
この結果、表示装置１５１には図６（ａ）に示す記録番組一覧表示または図６（ｂ）に示す過去番組表が表示される。
以上説明したとおり、本実施形態によれば、過去番組表や録画番組一覧上で、シーン情報の有無を視覚的に認識できる。更には、第１の実施形態と比較してシーン情報の種別も視覚的に認識することができる。
【００４５】
（第３の実施形態）
この第３の実施形態では、第１，２の実施形態をベースにしているため、第１，２の実施形態から変わる点についてのみ説明する。
上記第１や第２の実施形態では、図５，６（ａ）に示す記録番組一覧表示または図５，６（ｂ）に示す過去番組表を表示するリクエストがあったことをトリガーとして、サーバにシーン情報の有無の確認やダウンロードをした。この場合、シーン情報の有無の確認に時間を要してしまうことになる。
【００４６】
この第３の実施の形態では、電源がオンになった際や、定期的な間隔（例えば１０分）でシーン情報の有無の確認結果を記憶したり、ダウンロードをする。そして図５，６（ａ）に示す記録番組一覧表示または図５，６（ｂ）に示す過去番組表を表示するリクエストがあった際には、これら予め記憶していたシーン情報の有無の確認結果や、ダウンロードしたシーン情報を用いることにより、最大で１０分前のサーバのデータとはなるが、記録番組一覧表示または過去番組表を早く表示することができる。
【００４７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。例えば、第１の実施形態と第２の実施形態とを組み合わせ、所望の番組属性として、ジャンル、チャンネルを組みとしたものとしてもよい。
【符号の説明】
【００４８】
１００…記録再生装置、１０１…チューナ装置、１０２…記録再生制御部、１０３…記録媒体、１０４…記録番組一覧表生成部、１０５…デコード処理部、１０６…オンスクリーン表示制御部、１１１…ネットワークＩ／Ｆ、１１２…シーン情報取得部、１１３…シーン情報識別子表示制御部、１２１…ＥＰＧ（Electronic Program Guide）メモリ、１３１…リモートコントローラ、１３２…受信回路、１３３…ＭＰＵ（Micro-Processing Unit）。
【図１】
2014233048.tif 000003
【図２】
2014233048.tif 000004
【図３】
2014233048.tif 000005
【図４】
2014233048.tif 000006
【図５】
2014233048.tif 000007
【図６】
2014233048.tif 000008
【図７】
2014233048.tif 000009
【図８】
2014233048.tif 000010